(57)【要約】【課題】タフテッドカーペットの密度（タフトゲージ）を変更するとき、各パーツ部品の交換をしなくても、短時間で多種類のタフトゲージへの変更を可能にする。【解決手段】少なくとも二本のニードルバーを備えるタフティング機において、それぞれのニードルバーが互いに独立して左右に移動または固定できる機構を備え、ニードルに送るパイル糸の本数を設定して、基布にパイル糸を差し込む密度（タフトゲージ）を決めることによって、多種類のタフトゲージ得ることができる。【選択図】図４
2006183157.tif 000002
【特許請求の範囲】
【請求項１】
少なくとも二本のニードルバーを備えるタフティング機において、それぞれのニードルバーが互いに独立して左右に移動または固定できる機構を備え、ニードルに送るパイル糸の本数を設定して、基布にパイル糸を差し込む密度（タフトゲージ）を決めることを特徴とするタフテッドカーペットの製造方法。
【発明の詳細な説明】
【技術分野】
【０００１】
本発明は、基布にパイル糸を差し込んでパイルを植設（タフティング）するタフテッドカーペットにおいて、様々な密度（タフトゲージ）にパイルを植設する技術に関するものである。
【背景技術】
【０００２】
従来からの技術として、タフテッドカーペットの密度（タフトゲージ）を変更する場合、異るゲージのパーツ部品（ニードルバー、ルーパーハ゛ー、ヤーンガイド等）と交換する方法が一般的である。例えば１／８ゲージのループ機から１／１０ゲージのループ機にゲージを変更する場合は、ニードルバー、ルーパーハ゛ー、ヤーンガイドの各パーツを１／８ゲージ用のものから１／１０ゲージ用に全て交換することが必要で、このため、たいへんな時間と労力を費やさなければならなかった。
【発明の開示】
【発明が解決しようとする課題】
【０００３】
タフテッドカーペットの密度（タフトゲージ）を変更するとき、各パーツ部品の交換をしなくても、短時間で多種類のタフトゲージへの変更を可能にする。
【課題を解決するための手段】
【０００４】
本発明は、タフテッドカーペットの密度（タフトゲージ）を変更したいとき、各パーツ部品の交換をしなくても、現在設置されているニードルの内、任意に選定したニードルのみにパイル糸を通すことによって、多くの種類のタフトゲージのカーペットが得られることを見出し、本発明に至ったものである。上記課題を達成するために、本発明は以下の手段を提供する。
【０００５】
［１］少なくとも二本のニードルバーを備えるタフティング機において、それぞれのニードルバーが互いに独立して左右に移動または固定できる機構を備え、ニードルに送るパイル糸の本数を設定して、基布にパイル糸を差し込む密度（タフトゲージ）を決めることを特徴とするタフテッドカーペットの製造方法。
【発明の効果】
【０００６】
少なくとも二本のニードルバーを備えるタフティング機において、それぞれのニードルバーが互いに独立して左右に移動または固定できる機構を備え、ニードルに送るパイル糸の本数を設定して、基布にパイル糸を差し込む密度（タフトゲージ）を決めるので多種類のタフトゲージを表現することができる。
【０００７】
例えば、二本のニードルバーのうち一本を１／８ゲージ、もう一本の方を１／４ゲージとし、全てのニードルにパイル糸を通した場合は、１／１２ゲージとなる。また、１／４ゲージのニードルバーのニードルのうち一本おきにパイル糸を通した場合は、１／１０ゲージとなり、各パーツ部品の交換をしなくても多種類のタフトゲージを表現することができる。さらに、二本のニードルバーが互いに独立して左右に移動するものであれば、カーペット表面全面に均一なパイル密度とすることが出来る。
【発明を実施するための最良の形態】
【０００８】
本発明のタフテッドカーペットの製造方法について、図面を参照して詳細に説明する。図４のタフティング機は前列のニードルバー２と後列のニードルバー３の二本のニードルバーを具備している。それぞれのニードルバーは、互いに独立して左右に移動出来るようにニードルバーホルダー４に支持されている。ニードルバーホルダー４は、プッシュロッド５によって垂直に上下動させられるように、プッシュロッド５に固定されており、パイル糸６，７の通ったニードル８，９を基布１０に刺し込み、各ニードルに対応したルーパー１１，１２によって前記パイル糸６，７を引っ掛けループパイルを形成する。
【０００９】
図１〜３はニードルバーの概略図で、ニードル穴の位置とゲージの関係及びパイル糸の有る無しを示している。ニードルバーには、ゲージに対応した間隔にニードルを固定する穴が開けられ、ニードルを入れて固定ネジでセットするようになっている。ゲージとは１インチ間にある針数で表し、例えばニードルバーの１インチ間に８本のニードルがセットされるようなニードルバーであれば１／８ゲージと表現する。図１〜３において前列のニードルバーは１／８ゲージ、後列のニードルバーは１／４ゲージとしている。パイル糸の通っている場合は●、通っていない場合は○で示しいてる。
【００１０】
前記二本のニードルバーは、左右移動装置（図示せず）により、互いに独立して左右に移動出来るように支持されている。左右に移動する距離は、ニードルバーのゲージの整数倍で、一度に移動する距離は１ステッチで１〜４ゲージ左右に移動させることができる。また、この移動は左右に何回か移動を繰返し、始めの位置に戻って１サイクルを完成する。この左右移動装置の駆動には、油圧によるものとカムによるものがあるが、どちらの方法による駆動でもよいが、ゲージの整数倍正確に移動することが要求される。
【００１１】
図４においてパイル糸６，７は、二本のニードルバー２，３に対応して各ガイド１３，１４を通過して、各ニードル８，９に供給されている。ニードルを通ったパイル糸が基布の下側でルーパー１１，１２に引っ掛けられてループパイルを形成していく。
【実施例】
【００１２】
＜実施例１＞
図１は本発明のニードルバーのゲージとパイル糸の配列を表記したものである。ニードルバーは二本で前列のニードルバーは１／８ゲージ、後列のニードルバーは１／４ゲージで、全てのニードルにパイル糸を通している。この場合のタフテッドカーペットの密度（タフトゲージ）は１インチ間に１２本の糸を刺し込んでいるので１／１２ゲージとなる。
【００１３】
＜実施例２＞
図２は実施例１において、後列のニードルバーに、一本おきのニードルにパイル糸を通している。この場合のタフテッドカーペットの密度（タフトゲージ）は１／１０ゲージとなる。一本おきにニードルから外された糸は、糸送りローラーとの接触から外し、ガイド等に固定すれば、次ぎに使用するときに直ぐにニードルに通して使用することが出来る。
【００１４】
＜実施例３＞
図３は実施例１において、前列のニードルバーに、一本おきのニードルにパイル糸を通している。この場合のタフテッドカーペットの密度（タフトゲージ）は１／８ゲージとなる。
【図面の簡単な説明】
【００１５】
【図１】本発明の一実施形態を示すニードルとパイル糸の関係を示す図である。
【図２】本発明の一実施形態を示すニードルとパイル糸の関係を示す図である。
【図３】本発明の一実施形態を示すニードルとパイル糸の関係を示す図である。
【図４】二本のニードルバーを具備するタフティング機の概略図である。
【符号の説明】
【００１６】
１    タフティング機
２    前列のニードルバー
３    後列のニードルバー
４    ニードルバーホルダー
５    プッシュロッド  
６    パイル糸
７    パイル糸
８，９  ニードル
１０  基布
１１，１２  ルーパー
１３，１４  ガイド
【図１】
2006183157.tif 000003
【図２】
2006183157.tif 000004
【図３】
2006183157.tif 000005
【図４】
2006183157.tif 000006